(57)【要約】【課題】  取付枠の組立、分解が簡便であり、搬送、収納、管理がし易く、かつ連結部を確実に結合できると共に枠にしなりを生じることのない丈夫な表示片の取付枠組立体を提供する。【解決手段】  複数の枠部材（Ａ、Ｂ、Ｃ、Ｄ）を有しこれらの枠部材を連結して表示片（１２）の取付枠を形成する組立、分解可能な取付枠組立体であって、この枠部材（Ａ、Ｂ、Ｃ、Ｄ）は平面部材（２）とこれにほぼ直交する垂直部材（３）を有し、連結部における一方の枠部材の平面部材（２）の端部に支持部材（６）を設け、この支持部材によって形成される溝（５）に他方の枠部材の平面部材（２）を嵌合し、その嵌合部をボルト・ナット（８、９）で係脱可能に結合する。【選択図】        図１
2005195847.tif 000002
【特許請求の範囲】
【請求項１】
複数の枠部材を連結して看板等の表示片を取付けるための取付枠組立体であって、枠部材は平面部材と、この平面部材にほぼ直交する垂直部材を有し、その枠部材連結部における一方の枠部材の平面部材の端部に他方の枠部材の平面部材に嵌合する溝を設け、この嵌
合部を係止具で係脱可能に連結するようにしたことを特徴とする表示片の取付枠組立体。
【請求項２】
一方の枠部材の平面部材の端部にこれより対向して延出する支持部片を設け、この対向する支持部片によって形成した溝に、他方の枠部材の平面部材を嵌合するようにした請求項１記載の表示片の取付枠組立体。
【請求項３】
枠部材は、一方の端部に傾斜角約４５度の切欠部を有するコーナー用枠部材と、両端部に傾斜角約４５度の切欠部を有すると共に上記コーナー用枠部材の平面部材に嵌合する溝を有する溝付コーナー用枠部材と、枠部材を長手方向に延長するための延長用枠部材と、上記コーナー用枠部材と延長用枠部材の平面部材に嵌合する溝を有する中間枠部材を備えた請求項１または２記載の表示片の取付枠組立体。
【請求項４】
枠部材は、両端部に傾斜角約４５度の切欠部を有するコーナー用枠部材及び延長用枠部材と、両端部に傾斜角約４５度の切欠部を有すると共に上記コーナー用枠部材の平面部材に嵌合する溝を有する溝付コーナー用枠部材と、両端部に対向して傾斜角約４５度の切欠部を有すると共に上記コーナー用枠部材及び延長用枠部材の平面部材に嵌合する溝を有する中間枠部材を備えた請求項１または２記載の表示片の取付枠組立体。
【請求項５】
枠部材は各種寸法の長さのものを設けた請求項１〜４のいずれかに記載の表示片の取付枠組立体。
【請求項６】
枠部材を木製とした請求項１〜５のいずれかに記載の表示片の取付枠組立体。
【請求項７】
係止具の表面の高さが枠部材の垂直部材の表面の高さ以内になるように形成した請求項１〜６のいずれかに記載の表示片の取付枠組立体。
【発明の詳細な説明】
【技術分野】
【０００１】
本発明は、看板表示用シート、ポスター等の表示片を取付枠に装着して看板、立看板、表示板、掲示板等として用いることができるものであって、簡便かつ迅速に組立、分解することができる表示片の取付枠組立体に関する。
【背景技術】
【０００２】
看板や立看板、土木工事用表示板等において、表示片を支持するものとして木枠が用いられている（例えば特許文献１参照）。
この木枠は、角材を適当な長さに切断し、これを釘付けにして組立てるものであるから、うまく釘打ちができず、その作業も面倒であり、しかも釘打ちによって一体になっているので簡単に分解したり組立てたりすることができず、また大きな木枠にした場合は搬送や保管に不便であり、木枠が長くなると、しなりを生じ、これによって木枠に貼着したシート状の表示片にしわが生じるという不都合があった。
【特許文献１】実開平６−３７８７８号公報
【発明の開示】
【発明が解決しようとする課題】
【０００３】
本発明は、上記従来の問題点を解消し、かつこれを改良するものであって、取付枠の組立、分解が簡便に、かつ迅速にでき、搬送、収納、管理にも好都合であり、また連結部をしっかりと安定して結合することができ、しかも丈夫であり枠にしなりを生じることがなく、表示片にしわが発生せず、かつ低コストで経済的な表示片の取付枠組立体を提供しようとするものである。
【課題を解決するための手段】
【０００４】
本発明は、複数の枠部材を有しこれらの枠部材を連結して表示片の取付枠を形成する組立、分解可能な取付枠組立体であって、この枠部材は平面部材とこれにほぼ直交する垂直部材を有し、連結部における一方の枠部材の平面部材に溝を設け、この溝に他方の枠部材の平面部材を嵌合し、その嵌合部をボルト・ナットやネジ等の係脱可能な係止具で固定するようにしたものである。
【０００５】
上記溝は、一方の枠部材の平面部材の端部に対向した状態で延出する支持部片を設け、この対向する支持部片によって溝を形成するようにしたものである。
なお、上記枠部材は、木材で形成することができ、また各種寸法の長さのものを用意しこれをユニットとして種々の大きさの取付枠を形成することができるものである。
【０００６】
更に、枠部材は、コーナー用枠部材、溝付コーナー用枠部材、延長用枠部材及び中間枠部材をパーツとし、またコーナー用または延長用枠部材、溝付コーナー用枠部材及び中間枠部材をパーツとし、これらをそれぞれセットとして用い得るようにしたものである。
【０００７】
また、係止具の表面の高さが枠部材の垂直部材の表面の高さ以内になるように形成し、係止具の頭部が垂直部材の表面より突出しないようにして表示片の装着を容易に、かつ見映えよくしている。
【発明の効果】
【０００８】
本発明は、本明細書及び特許請求の範囲に記載されている構成を有するものであって、枠の組立及び分解を簡単かつ迅速に効率よくすることができると共に、枠部材の連結部を確実に固定することができ、緩みがなく、しかも分解後はコンパクトになるから収納したり、管理したり、搬送したりするのに便利であり、かつこれを繰返して使用することが可能である。
【０００９】
また、枠部材は垂直部材を有するので、枠部材の強度、剛性が増し、枠部材を連結して長くした場合でも従来のようにしなってしまうようなことがなく、従ってこの枠部材に紙、布、ビニール等のシート状の表示片を張設した際、張り易く、かつ、しわにならないので見栄がよい。
【００１０】
更に、枠部材を極力少ないパーツとしているので、無駄がない上にその管理もし易く、かつ経済的である。しかも枠部材を各種の寸法にユニット化しているので、適宜の寸法のものを用いて所望の大きさの取付枠を作ることができる。
【００１１】
また、枠部材は木やプラスチック、アルミニウム等の軽金属、軽合金等で形成することができ、軽量に、かつ型成形等して効率よく低コストで提供することができ、しかも木製等の場合は表示片を画鋲やステップル等で保持することができ、かつ木材であるから環境上悪影響がない。
【発明を実施するための最良の形態】
【００１２】
実施例では、取付枠を看板として用いた場合について説明する。
枠部材（１）は、複数の枠部材を有し、それぞれ平面部材（２）と、これにほぼ直交する垂直部材（３）を備えるものであって、パーツとして例えば図３に示すように、一方の端部に傾斜角約４５度の切欠部（４）が形成されたコーナー用枠部材（Ａ）と、両端部に傾斜角約４５度の切欠部（４）を有し、上記コーナー用枠部材の平面部材（２）に嵌合する溝（５）を有する溝付コーナー用枠部材（Ｂ）と、枠部材を長手方向に延長する延長用枠部材（Ｃ）と、上記コーナー用枠部材（Ａ）と延長用枠部材（Ｃ）の平面部材（２）に嵌合する溝（５）を有する中間枠部材（Ｄ）を備えている。
【００１３】
上記溝付コーナー用枠部材（Ｂ）と中間枠部材（Ｄ）に形成される溝（５）は、平面部材の両端部にこれより対向して延出する支持部片（６）による空隙をもって形成するようにしている。
【００１４】
枠部材（１）は、実施例では木製であるので、上記平面部材（２）と垂直部材（３）の結合は、垂直部材（３）に嵌合溝（７）を形成し（なお、他の例では、図６に示すように平面部材（２）を垂直部材（３）で挟持して形成している。）、この嵌合溝（図６に示す場合は挟持面）に接着剤を介して平面部材の一部を挿入して固定し、また上記溝付コーナー用枠部材（Ｂ）と中間枠部材（Ｄ）において、支持部片（６）を平面部材に接着剤によって固定しているが、これらはいずれもボルト・ナット（図７に示すものは平面部材（２）と支持部片（６）をボルト（８）、ナット（９）で固定している。）やネジ等の係止具（１０）をもって固定するようにしてもよい。
【００１５】
次に、上記枠部材（Ａ）、（Ｂ）、（Ｃ）、（Ｄ）を用いて取付枠を組立てる場合について説明する。
図４に示すように、溝付コーナー用枠部材（Ｂ）の支持部片（６）に形成した溝（５）に、コーナー用枠部材（Ａ）の平面部材（２）の端部を嵌入し、これらの支持部片（６）及びコーナー用枠部材（Ａ）の平面部材（２）端部に形成した孔（１１）にボルト（８）を通し、そのボルトをナット（９）で締結して固定する。
【００１６】
枠を長手方向に延長する際は、上記延長用枠部材（Ｃ）と中間枠部材（Ｄ）を用い、これらの中間枠部材（Ｄ）の支持部片（６）、コーナー用枠部材（Ａ）の平面部材（２）及び延長用枠部材（Ｃ）の平面部材（２）に形成した孔（１１）に上記と同様にボルト（８）を通しこれをナット（９）で締結して固定する。
【００１７】
なお、図示の例では、上記のようにボルト・ナットで固定しているが、その他ネジその他の係脱可能な係止具を用いることができる。
【００１８】
図８は他の実施例を示すもので、上記コーナー用枠部材（Ａ）を変形してその両端部に傾斜角約４５度の切欠部（４）を設け（Ａ−１）、上記延長用枠部材（Ｃ）を省略（上記コーナー用枠部材（Ａ）を兼用）し、かつ上記中間枠部材（Ｄ）を変形して垂直部材（３）の両側に平面部材（２）を設けると共にその平面部材の両端部に傾斜角約４５度の切欠部（４）を設ける（Ｄ−１）ようにしたものである。
【００１９】
なお、上記例では、支持部片（６）が上記溝付コーナー用枠部材（Ｂ）及び中間枠部材（Ｄ、Ｄ−１）の平面部材の両端部に設けられているが、その平面部材の一方端部に支持部片（６）を設け、他方の支持部片（６）を上記コーナー用枠部材（Ａ）側に設けるようにしてもよい。
【００２０】
上記枠部材（１）は、パーツとして予め各部材（Ａ、Ａ−１、Ｂ、Ｃ、Ｄ、Ｄ−１）を種々の寸法のものを用意することができ、例えばコーナー用枠部材（Ａ、Ａ−１）及び延長用枠部材（Ｃ）は５０ｃｍ、１００ｃｍ等（長さ５０ｃｍ間隔）、溝付コーナー用枠部材（Ｂ）及び中間枠部材（Ｄ、Ｄ−１）は６０ｃｍ、７０ｃｍ、８０ｃｍ９０ｃｍ、１００ｃｍ等（長さ１０ｃｍ間隔）のもの、その他適宜の寸法のものを用意することができ、これによって、所望の大きさの取付枠を作ることができる。
【００２１】
上記ボルト・ナット（８、９）等の係止具（１０）の頭部表面の高さを上記枠部材の垂直部材の表面の高さ以内にすると、係止具の頭部が枠部材の垂直部材の表面より突出することがなく表示片（１２）をきれいに張着することができる。
表示片（１２）は、画鋲（１３）やステープル、粘着テープ、接着剤等で枠部材に保持することができる。
【００２２】
なお、上記実施例では枠部材を木製としているが、プラスチック材や軽金属、軽合金等を用いて型成形（一体成形）するようにしてもよい。
【図面の簡単な説明】
【００２３】
【図１】本発明の実施例を示す斜面図である。
【図２】図１における平面図である。
【図３】枠部材パーツの拡大平面図である。
【図４】枠部材を組立てる場合を示す拡大斜面図である。
【図５】枠部材の連結部の拡大断面図である。
【図６】平面部材と垂直部材の他の固定方法を示す一部拡大断面図である。
【図７】枠部材を組立てた際の他の例を示す一部斜面図である。
【図８】枠部材パーツの他の例を示す拡大平面図である。
【図９】図８に示す枠部材で組立てた場合を示す一部平面図である。
【符号の説明】
【００２４】
１  枠部材
２  平面部材
３  垂直部材
４  切欠部
５  溝
６  支持部片
１０  係止具
１２  表示片
Ａ、Ａ−１  コーナー用枠部材
Ｂ  溝付コーナー用枠部材
Ｃ  延長用枠部材
Ｄ、Ｄ−１  中間枠部材
【図１】
2005195847.tif 000003
【図２】
2005195847.tif 000004
【図３】
2005195847.tif 000005
【図４】
2005195847.tif 000006
【図５】
2005195847.tif 000007
【図６】
2005195847.tif 000008
【図７】
2005195847.tif 000009
【図８】
2005195847.tif 000010
【図９】
2005195847.tif 000011